(57)【要約】【課題】構成が簡素であり、コストを安くしながら、電子機器とは別の装置として扱うことが可能とする。【解決手段】電力を得るための電源端子を備えた電子機器の収納部１１へ収納され、前記電子機器の筐体１０と一体化される電池ホルダ２０であって、電池が収納されるケース２０ａと、前記ケース２０ａに設けられ、収納される電池の電極に電気的に接続されると共に、前記電子機器の前記収納部１１に収納された状態で前記電源端子に接続される電気的接続部とを具備する。【選択図】図９
2018195484.tif 000002
【特許請求の範囲】
【請求項１】
電力を得るための電源端子を備えた電子機器の収納部へ収納され、前記電子機器の筐体と一体化される電池ホルダであって、
電池が収納されるケースと、
前記ケースに設けられ、収納される電池の電極に電気的に接続されると共に、前記電子機器の前記収納部に収納された状態で前記電源端子に接続される電気的接続部と
を具備する電池ホルダ。
【請求項２】
前記電気的接続部は、前記ケースの外側へ付勢され、前記電源端子に接する複数の接触子が形成された導体板端子を備える請求項１に記載の電池ホルダ。
【請求項３】
前記接触子は、前記導体板端子を打ち抜いて形成された複数の舌状片により構成され、前記舌状片の基部から先端の間に外側へ凸となるように屈曲された凸部を備えており、
前記複数の舌状片毎にそれぞれの形状が異なっている請求項２に記載の電池ホルダ。
【請求項４】
前記導体板端子は、前記ケースに収納された電池の電極の位置であって前記ケースの外側に設けられ、
前記ケースの前記導体板端子の側辺部に沿った位置には、前記電子機器の前記収納部に形成された溝部に対応する突条が形成されている請求項２または３に記載の電池ホルダ。
【請求項５】
前記電池が収納された状態における電池の陰極が位置付けられた前記ケースの部位から、前記電池を覆うように前記電池の陽極方向へ所定寸法の屋根部が形成され、
前記屋根部の基部には、前記導体板端子を固定するためのスリットが形成されている請求項２乃至４のいずれか１項に記載の電池ホルダ。
【請求項６】
前記ケースには、前記電子機器の前記収納部の開口部における第１の辺に形成された回動受部（または回動部）に対応する回動部（または回動受部）が形成され、
前記開口部の前記第１の辺と対向する第２の辺に形成された嵌合機構の一方の機構に対応する前記嵌合機構の他方の機構が、前記ケースに形成されている請求項１乃至５のいずれか１項に記載の電池ホルダ。
【請求項７】
電力を得るための電源端子を備えた収納部を備えた筐体と、
前記収納部へ収納され、前記筐体と一体化される電池ホルダと
を備える電子機器において、
前記電池ケースは、
電池が収納されるケースと、
前記ケースに設けられ、収納される電池の電極に電気的に接続されると共に、前記電子機器の前記収納部に収納された状態で前記電源端子に接続される電気的接続部と
を具備する電子機器。
【請求項８】
前記電気的接続部は、前記ケースの外側へ付勢され、前記電源端子に接する複数の接触子が形成された導体板端子を備える請求項７に記載の電子機器。
【請求項９】
前記接触子は、前記導体板端子を打ち抜いて形成された複数の舌状片により構成され、前記舌状片の基部から先端の間に外側へ凸となるように屈曲された凸部を備えており、
前記複数の舌状片毎にそれぞれの形状が異なっている請求項８に記載の電子機器。
【請求項１０】
前記導体板端子は、前記ケースに収納された電池の電極の位置であって前記ケースの外側に設けられ、
前記電子機器の前記収納部には、溝部が形成され、
前記ケースの前記導体板端子の側辺部に沿った位置には、前記溝部に対応する突条が形成されている請求項８または９に記載の電子機器。
【請求項１１】
前記電池が収納された状態における電池の陰極が位置付けられた前記ケースの部位から、前記電池を覆うように前記電池の陽極方向へ所定寸法の屋根部が形成され、
前記屋根部の基部には、前記導体板端子を固定するためのスリットが形成されている請求項８乃至１０のいずれか１項に記載の電子機器。
【請求項１２】
前記電子機器の前記収納部の開口部における第１の辺には、回動受部（または回動部）が形成され、
前記ケースには、前記電子機器の回動受部（または回動部）に対応する回動部（または回動受部）が形成され、
前記電子機器における前記開口部の前記第１の辺と対向する第２の辺に嵌合機構の一方の機構が形成され、
前記ケースには、前記嵌合機構の一方の機構に対応する前記嵌合機構の他方の機構が、形成されている請求項７乃至１２のいずれか１項に記載の電子機器。
【発明の詳細な説明】
【技術分野】
【０００１】
この発明は、何本かの電池を一まとめにして所定電圧の電源として、ワンタッチで電子機器の電源部にセットすることが可能に構成した電池ホルダと、この電池ホルダを電源部に組み込んで構成される電子機器に関するものである。
【背景技術】
【０００２】
電子機器においては、電池を収納して電力を得るための電源部を、電子機器筐体の一部に電池収納部として備えたものが知られている。例えば、筐体の一部に電池を収納可能な容積を有する空室を電池収納部とするものである。この電池収納部には、電池の陽極及び陰極に接触する導電性の端子板が埋設されており、端子板から電子機器の電源回路に電力が供給されるように構成されている。上記電池収納部に電池を入れた後には、蓋により上記電池収納部の開口部を閉じることにより、電池を所定位置に固定し、電池と端子板との接触が不良となるなどの事態を防ぐように構成されている。
【０００３】
上記のような電子機器の電池収納部の構成では、電池収納部の蓋の閉成を電池のセットとは別の作業により行わなければならず、煩わしく、また、電池が飛び出さないように工夫する必要があり、作業が難しい場合もある。また、電子機器の大きさや形状等によっては、電子機器を一方の手に持った状態で電池交換を行う必要があり、交換作業が難しくなるという問題もある。更に、電池の陽極及び陰極に接触する端子板が電子機器の筐体に埋設されているため、端子板が腐食などによる劣化や破損で交換しなければならない場合には、端子板の交換で済ませることができず、電子機器の筐体自体を交換する必要が生じるなど、修理が大掛かりとなり、また、修理のコストが高くなるという問題がある。
【０００４】
上記に対し、特許文献１には、複数の電池を収納し、外部との電気的接続を得るための電極を備えた電池パックが開示されている。この電池パックは、電子機器に対して用いる場合には、電子機器とは別の装置として扱うことができ極めて便利である。
【先行技術文献】
【特許文献】
【０００５】
【特許文献１】特開平７−３７５６３号公報
【発明の概要】
【発明が解決しようとする課題】
【０００６】
上記特許文献１の電池パックは、電池の陰極に接続する接続導体を備える絶縁体板と、電池の陽極に接続する接続導体を備える絶縁体板とにより、電池を挟むようにして、上記接続導体により電気的接続を得るものである。また、外部との電気的接続を得るための電極は、上記絶縁体板とは別のアタッチメント板に設けられている。つまり、外部との電気的接続を得るための電極を配置する別部品を用いており、構成が複雑化しコストが高くなるという問題点がある。
【０００７】
電池の固定のために、アタッチメント板上に複数の電池を設け、これを２枚の絶縁体板により挟み込む。更に、略直方体形状の容器を逆さにした如き形状の固定部材によって全体を覆って包み込むように電池パックが構成される。このように、全体を覆って電池を固定する固定部材を用い、更に熱収縮チューブにより半永久的にパックした構成であり、電池固定のためにも大きく特別な部材を用いるものである。
【０００８】
本発明は、上記のような電子機器の電池収納部の構成に鑑みてなされたもので、その目的は、構成が簡素であり、コストを安くしながら、電子機器とは別の装置として扱うことが可能な電池ホルダを提供することである。
【０００９】
また、半永久的に電池を閉じ込めた構成ではなく、電池を収納したときに十分な固定状態を提供し、また、比較的容易に電池を取り外して交換することが可能な電池ホルダを提供することを目的とする。更に、本発明の他の目的は、上記のような電池ホルダを筐体に一体化して構成した電子機器を提供することである。
【課題を解決するための手段】
【００１０】
本発明に係る電池ホルダは、電力を得るための電源端子を備えた電子機器の収納部へ収納され、前記電子機器の筐体と一体化される電池ホルダであって、電池が収納されるケースと、前記ケースに設けられ、収納される電池の電極に電気的に接続されると共に、前記電子機器の前記収納部に収納された状態で前記電源端子に接続される電気的接続部とを具備する。
【００１１】
本発明に係る電池ホルダでは、前記電気的接続部は、前記ケースの外側へ付勢され、前記電源端子に接する複数の接触子が形成された導体板端子を備える。
【００１２】
本発明に係る電池ホルダでは、前記接触子は、前記導体板端子を打ち抜いて形成された複数の舌状片により構成され、前記舌状片の基部から先端の間に外側へ凸となるように屈曲された凸部を備えており、前記複数の舌状片毎にそれぞれの形状が異なっている。
【００１３】
本発明に係る電池ホルダでは、前記導体板端子は、前記ケースに収納された電池の電極の位置であって前記ケースの外側に設けられ、前記ケースの前記導体板端子の側辺部に沿った位置には、前記電子機器の前記収納部に形成された溝部に対応する突条が形成されている。
【００１４】
本発明に係る電池ホルダでは、前記電池が収納された状態における電池の陰極が位置付けられた前記ケースの部位から、前記電池を覆うように前記電池の陽極方向へ所定寸法の屋根部が形成され、前記屋根部の基部には、前記導体板端子を固定するためのスリットが形成されている。
【００１５】
本発明に係る電池ホルダでは、前記ケースには、前記電子機器の前記収納部の開口部における第１の辺に形成された回動受部（または回動部）に対応する回動部（または回動受部）が形成され、前記開口部の前記第１の辺と対向する第２の辺に形成された嵌合機構の一方の機構に対応する前記嵌合機構の他方の機構が、前記ケースに形成されている。
【００１６】
本発明に係る電子機器は、電力を得るための電源端子を備えた収納部を備えた筐体と、前記収納部へ収納され、前記筐体と一体化される電池ホルダとを備える電子機器において、前記電池ケースは、電池が収納されるケースと、前記ケースに設けられ、収納される電池の電極に電気的に接続されると共に、前記電子機器の前記収納部に収納された状態で前記電源端子に接続される電気的接続部とを具備する。
【００１７】
本発明に係る電子機器では、前記電気的接続部は、前記ケースの外側へ付勢され、前記電源端子に接する複数の接触子が形成された導体板端子を備える。
【００１８】
本発明に係る電子機器では、前記接触子は、前記導体板端子を打ち抜いて形成された複数の舌状片により構成され、前記舌状片の基部から先端の間に外側へ凸となるように屈曲された凸部を備えており、前記複数の舌状片毎にそれぞれの形状が異なっている。
【００１９】
本発明に係る電子機器では、前記導体板端子は、前記ケースに収納された電池の電極の位置であって前記ケースの外側に設けられ、前記電子機器の前記収納部には、溝部が形成され、前記ケースの前記導体板端子の側辺部に沿った位置には、前記溝部に対応する突条が形成されている。
【００２０】
本発明に係る電子機器では、前記電池が収納された状態における電池の陰極が位置付けられた前記ケースの部位から、前記電池を覆うように前記電池の陽極方向へ所定寸法の屋根部が形成され、前記屋根部の基部には、前記導体板端子を固定するためのスリットが形成されている。
【００２１】
本発明に係る電子機器では、前記電子機器の前記収納部の開口部における第１の辺には、回動受部（または回動部）が形成され、前記ケースには、前記電子機器の回動受部（または回動部）に対応する回動部（または回動受部）が形成され、前記電子機器における前記開口部の前記第１の辺と対向する第２の辺に嵌合機構の一方の機構が形成され、前記ケースには、前記嵌合機構の一方の機構に対応する前記嵌合機構の他方の機構が、形成されている。
【発明の効果】
【００２２】
本発明は、電池が収納されるケースと、収納される電池の電極に電気的に接続されると共に、電子機器の収納部に収納された状態で電源端子に接続される電気的接続部を備える。上記電気的接続部が上記ケースに設けられているので、外部との電気的接続を得るための電極を配置する別部品が不要であり、構成が簡素であり、コストを安くしながら、電子機器とは別の装置として扱うことが可能となっている。
【００２３】
また、本発明では、電池が収納された状態における電池の陰極が位置付けられた前記ケースの部位から、前記電池を覆うように前記電池の陽極方向へ所定寸法の屋根部が形成され、上記屋根部が電池の不用意な挿入による電気的接続部の損傷を防ぎ、収納された電池の抜け落ちを防止する機能も備えることから、電池を収納したときに十分な固定状態を提供し、また、比較的容易に電池を取り外して交換することを可能とする。
【図面の簡単な説明】
【００２４】
【図１】本発明の実施形態に係る電子機器の収納部を示す斜視図。
【図２】本発明の実施形態に係る電子機器の収納部を、図１とは逆方向から見たときの斜視図。
【図３】本発明の実施形態に係る電池ホルダの内側の斜視図。
【図４】本発明の実施形態に係る電池ホルダの内側を、図３とは逆方向から見たときの斜視図。
【図５】本発明の実施形態に係る電池ホルダの要部を抜き出して示した斜視図。
【図６】本発明の実施形態に係る電池ホルダの要部拡大斜視図。
【図７】図６のＩ−Ｉ断面図。
【図８】本発明の実施形態に係る電池ホルダによる作用を示す斜視図。
【図９】本発明の実施形態に係る電池ホルダを電子機器の収納部に収納する過程を示す斜視図。
【図１０】本発明の実施形態に係る電池ホルダを電子機器の収納部に収納した状態を示す平面図。
【発明を実施するための形態】
【００２５】
以下添付図面を参照して、本発明に係る電池ホルダ及び電子機器の実施形態を説明する。各図において同一の構成要素には、同一の符号を付して重複する説明を省略する。本実施形態に係る電子機器は、例えば、ポータブルタイプの心電計などのような医療機器とすることができ、その筐体１０は、図１、図１０などに示すように、概ね直方体形状であり、各角部や各辺は面取り加工などにより丸みを帯びている。筐体１０は、図１や図２の状態で、成人男子が片手で持つことができる程度の大きさとすることができる。
【００２６】
筐体１０には、図３、図４等に示される電池ホルダ２０が収納される収納部１１が設けられている。収納部１１の底面には、電池ホルダ２０にセットされた電池の側面の一部に接して電池を保持するための円弧形状の受リブ１２が平行に２条設けられている。
【００２７】
収納部１１の側壁には、電子機器が電力を得るための電源端子１３、１４が設けられている。電源端子１３は、金属などの導電体であり、最も奥側に位置する電池の陰極と対向する位置に設けられる。本実施形態では、電池ホルダ２０に電池が３本並列にセットされる。上記収納部１１の中央に位置する電池の陰極に対向して接触する位置には、電源端子１４が設けられる。電源端子１４は、電源端子１３と同様に金属などの導電体で構成される。
【００２８】
電池ホルダ２０は、絶縁体の樹脂によるケース２０ａにより構成され、ケース２０ａの底板２１が筐体１０に形成された収納部１１の開口部に対する蓋に相当している。従って、底板２１の１辺側は、面取り加工に応じて図の上方に反り上がっている。底板２１の内側には電池の側壁の形状に相当して、円筒内壁の一部のような凹部２２ａ〜２２ｃが３本並列に形成されている。
【００２９】
凹部２２ａ〜２２ｃの長手方向における一方の端縁からは、底板２１から直角に上へ向かって電池の陽極または陰極に接続する電極端子を支持する電極支持壁２３が設けられている。凹部２２ａ〜２２ｃの長手方向における他方の端縁からは電極支持壁２３に対向して、電池の陽極または陰極に接続する電極端子を支持する電極支持壁２４が設けられている。電極支持壁２３、２４の高さ寸法は、円柱形状の電池の直径より僅かに長い寸法とすることができる。
【００３０】
電極支持壁２３の内側面を横方向に三等分した３つの領域中の、中央の領域には電池の陰極に接続する電極端子２５が設けられている。図5に示されるように、電極端子２５は、横方向の両端側が導電体のコイルバネにより構成され、ケース２０ａと同一材料の樹脂により形成される電極保持片２６Ａに保持されている。２つのコイルバネ間には、収納される電池方向のやや下方へ突出したＵ字状のバネ線材が設けられている。Ｕ字状に突出したバネ線材は２つのコイルバネのバネ線材と一体の同一部材である。
【００３１】
上記電極支持壁２３の内側面を横方向に三等分した３つの領域中の、中央の領域の両サイドには、電池の陽極に接続する電極端子２７が設けられる。電極端子２７は、電極端子２５と同じバネ線材により構成することができ、電極保持片２６Ａに保持された状態で構成されている。電極端子２７の形状は特に制限はないが、ここではＵ字の下部が電極保持片２６Ａ内に設けられ、Ｕ字の左上端部からはバネ線材が左横へ連続して延びており、Ｕ字の右上端部からはバネ線材が右横へ連続して延びている形状とすることができる。
【００３２】
電極支持壁２４の内側面を横方向に三等分した３つの領域中の、中央の領域には電池の陽極に接続する電極端子２７が設けられる。電極支持壁２４の内側面を横方向に三等分した３つの領域中の両サイドには、電池の陰極に接続する電極端子２５が設けられる。電極端子２７及び電極端子２５は電極保持片２６Ｂに設けられ、電極端子２７及び電極端子２５を構成するバネ線材の一部は、電極保持片２６Ｂ内に設けられる。
【００３３】
電池が収納された状態における電池の陰極が位置付けられた上記ケース２０ａの電極支持壁２３の部位から、上記電池を覆うように上記電池の陽極方向へ所定寸法の屋根部２８が形成されている。また、電池が収納された状態における電池の陰極が位置付けられた上記ケース２０ａの電極支持壁２４の部位から、上記電池を覆うように上記電池の陽極方向へ所定寸法の屋根部２８が形成されている。
【００３４】
図３に示すケース２０ａにおいて、３本並列に形成された凹部２２ａ〜２２ｃについて、図の右から第１レーンの凹部２２ａ、中央を第２レーンの凹部２２ｂ、左側を第３レーンの凹部２２ｃと称する。第２レーンの凹部２２ｂの電極支持壁２３の外側には、導体板端子３０ａが設けられる。第３レーンの凹部２２ｃの電極支持壁２４の外側には、導体板端子３０ｂが設けられる。導体板端子３０ａ、３０ｂは図５に示す様な、基本的に同じ構成のＬ字状に折り曲げられた導体板端子である。
【００３５】
導体板端子３０ａ、３０ｂの直立部には、上記ケース２０ａの外側へ付勢され、電源端子１３、１４に接する複数（ここでは、２本）の接触子３１ａ、３１ｂが形成されている。上記接触子３１ａ、３１ｂは、上記導体板端子３０ａ、３０ｂを打ち抜いて形成された舌状片の形状により構成されている。
【００３６】
上記接触子３１ａ、３１ｂは、それぞれの形状が異なるように形成され、詳細には上記接触子３１ａ、３１ｂのバネ定数が変化する寸法となるように形成されていれば良く、例えば図６に示すように、上記舌状片の基部から先端までの途中に外側へ凸となるように屈曲された凸部３２ａ、３２ｂを備えており、上記複数の各舌状片における基部から上記凸部３２ａ、３２ｂまでの距離Ｌ１、Ｌ２が、それぞれ異なるように形成される。または、凸部３２ａ、３２ｂの外側へ付勢される屈曲される角度が異なるように形成されても良い。
【００３７】
また、上記接触子３１ａ、３１ｂは、図６に示すように上記舌状片の基部のそれぞれの長さＬ３、Ｌ４や、上記舌状片の端部から先端部における任意の位置の長さＬ５、Ｌ６が異なる長さとなるように形成されていても良い。
【００３８】
また、上記接触子３１ａ、３１ｂは、図６に示すように舌状片の基部近傍に位置する打抜部３０ｃ、３０ｄ、３０e、３０fの打ち抜きの角度が異なるように形成されても良い。
【００３９】
以上の構成により、接触子３１ａ、３１ｂの凸部３２ａ、３２ｂが電源端子１３、１４に接している状態において、振動などにより凸部３２ａ、３２ｂと電源端子１３、１４が非接触状態になる場合には、距離Ｌ１と距離Ｌ２の舌状片では、固有振動数が異なり、２つの凸部３２ａ、３２ｂが非接触となるタイミングが異なるものと考えられる。従って、振動による揺れなどが生じた場合には、２つの凸部３２ａ、３２ｂが同時に非接触となる事態を防止し、電源の瞬断を防ぎ、電子機器が医療機器などの場合に、測定する信号にアートファクトが発生したり、動作が不安定となったりするなどの障害を防止することが可能である。
【００４０】
また、図５に示すように、導体板端子３０ａ、３０ｂの頭部には、上方へ延びる直立部から一度内側へ直角に折り曲げられ、更に直ぐに上方へ直角に折り曲げられた係止部３０ａｃ、３０ｂｃが形成されている。係止部３０ａｃ、３０ｂｃと屋根部２８とに関する組立構成は、図７の断面図に示すようである。即ち、上記係止部３０ａｃは、第２レーンの凹部２２ｂの屋根部２８の基部に形成されたスリット２９に挿入されて係合され、導体板端子３０ａを固定する機能を有している。また、係止部３０ｂｃは、第３レーンの凹部２２ｃの屋根部２８の基部に形成されたスリット２９に挿入されて係合され、導体板端子３０ｂを固定する機能を有している。
【００４１】
前術の通り、導体板端子３０ａ、３０ｂは、ケース２０ａに収納された電池の電極の位置であってケース２０ａの外側に設けられている。そして、上記ケース２０ａの外側に設けられた導体板端子３０ａ、３０ｂの両側辺部に沿った位置には、突条３３が形成されている。
【００４２】
上記電子機器の筐体１０における収納部１１には、上記突条３３に対応する溝部１５が形成されている。逆に言えば、導体板端子３０ａ、３０ｂの両側辺部に沿った位置には、電子機器の筐体１０における収納部１１の溝部１５に対応する突条３３が形成されている。
【００４３】
上記構成によって、ケース２０aを把持した際や、電池ホルダへの取り付け時に生じる電池ホルダの接触子３１a、３１bへかかる応力を緩和することができ、電子機器の筐体１０における収納部１１へ電池ホルダ２０を収納した場合に、電子機器の筐体１０における収納部１１の溝部１５に、電池ホルダ２０のケース２０ａに形成された突条３３が係合することにより、電子機器の筐体１０に振動等が生じた際に、接触子３１a、３１bの横方向にかかる応力を緩和することができ、接触子３１a、３１bの劣化や破損を防止することが可能となるとともに、ガタツキがなく、導体板端子３０ａ、３０ｂと電源端子１３、１４の電気的接続を適切に保つことが期待できる。
【００４４】
図５に示すように、導体板端子３０ａのＬ字状に折り曲げられた直立部と直角をなす平面部には、貫通口３４が形成されている。貫通口３４には、導体板端子３０ａをケース２０ａに溶融固着するためのスタッドが貫通され、導体板端子３０ａがケース２０ａに固定される。導体板端子３０ａの平面部には、隣接する第１レーンの凹部２２ａ側へ突出した接続部３５が設けられている。この接続部３５の先端部にはバネ線材に接続するための穴部３５ａが形成されている。
【００４５】
ケース２０ａの電極支持壁２３には、電極保持片２６Ａが貼り付けられて固定されている。この電極保持片２６Ａには、第１レーンの凹部２２ａに臨んで電池の陽極に接続する電極端子２７が設けられている。電極端子２７のバネ線材の先端部２７ａは、電極保持片２６Ａから導体板端子３０ａの接続部３５に形成された穴部３５ａへ延びている。電極端子２７のバネ線材の先端部２７ａと上記穴部３５ａとは、例えば溶着されて電気的接続がなされる。
【００４６】
第２レーンの凹部２２ｂに臨む電極保持片２６Ａに設けられた電極端子２５と、第３レーンの凹部２２ｃに臨む電極保持片２６Ａに設けられた電極端子２７とは、電極保持片２６Ａ内部において電気的に接続されている。
【００４７】
導体板端子３０ｂのＬ字状に折り曲げられた直立部と直角をなす平面部には、貫通口３６が形成されている。貫通口３６には、導体板端子３０ｂをケース２０ａに溶融固着するためのスタッドが貫通され、導体板端子３０ｂがケース２０ａに固定される。導体板端子３０ｂの平面部における屈曲部近傍には、バネ線材の径に相当する穴３７が設けられている。
【００４８】
ケース２０ａの電極支持壁２４には、電極保持片２６Ｂが貼り付けられて固定されている。この電極保持片２６Ｂには、第３レーンの凹部２２ｃに臨んで電池の陰極に接続する電極端子２５が設けられている。電極端子２５のバネ線材の先端部２５ａは、電極保持片２６Ｂから導体板端子３０ｂの平面部に形成された穴３７へ延びている。電極端子２５のバネ線材の先端部２５ａは上記穴３７に挿入され、例えば溶着されて電気的接続がなされる。
【００４９】
第２レーンの凹部２２ｂに臨む電極保持片２６Ｂに設けられた電極端子２７と、第３レーンの凹部２２ｃに臨む電極保持片２６Ｂに設けられた電極端子２５とは、電極保持片２６Ｂ内部において電気的に接続されている。
【００５０】
以上の、電極端子２５、２７、導体板端子３０ａ、３０ｂは、電気的接続部を構成する。この電気的接続部は、ケース２０ａに設けられ、収納される電池の電極に電気的に接続されると共に、電子機器の上記収納部１１に収納された状態で電源端子１３、１４に接続されるものである。そして、３個の電極端子２５と３個の電極端子とによって３本の電池は直列に接続される。また、導体板端子３０ａが直列に接続された３本の電池の端部陽極となり、導体板端子３０ｂが直列に接続された３本の電池の端部陰極となる。
【００５１】
そして、導体板端子３０ａ、３０ｂは、隣接するレーンの電極支持壁２３、２４の外側に設けられている。このため、図３の状態で導体板端子３０ｂを中心とする横方向へ回転するような振動の場合には、導体板端子３０ａが遠いレーンの電極支持壁２３の外側に設けられている場合と比べて、隣接するレーンの電極支持壁２４の外側に設けられている導体板端子３０ａでは、揺れによる振幅が少なく、安定的に導体板端子３０ａと電源端子１３の間の接続状態を保つことが期待できる。
【００５２】
図１に示すように、電子機器の筐体１０には収納部１１が設けられており、収納部１１の開口部における筐体１０の外壁に最も近い辺（第１の辺）には、所定の長さを有する溝により構成される回動受部４１（または突出した軸により構成される回動部）が形成されている。
【００５３】
ケース２０ａには、図２に示す電子機器の回動受部４１（または突出した軸により構成される回動部）に対応する長さの軸により構成される回動部３８（または所定の長さを有する溝により構成される回動受部）が形成されている。
【００５４】
電子機器における上記開口部の第１の辺と対向する第２の辺には、嵌合機構の一方の機構が形成されている。本実施形態では、嵌合機構の一方の機構を、所定の長さを有する溝４２により構成することができる。
【００５５】
ケース２０ａには、上記嵌合機構の一方の機構に対応する嵌合機構の他方の機構が、形成されている。具体的には、ケース２０ａの底板２１の内部からバネにより突出される突片３９による機構であり、底板２１の外面側には、上記突片３９をバネに抗して、ケース２０ａの底板２１の内部側へ退避させるためのレバー３９Ａが設けられている（図９）。
【００５６】
以上のように構成された電子機器と電池ホルダ２０とは、次のようにして用いることができる。まず、電池ホルダ２０に電池を収納する。電池を、第１レーンの凹部２２ａ、第２レーンの凹部２２ｂ、第３レーンの凹部２２ｃに収納する。それぞれのレーンの屋根部２８の側に電池の陰極を挿入する。このとき、慌てて電池を挿入しようとして、電池の陽極を先に電極端子２７側へ挿入しても、図８に示す状態となり、屋根部２８によって電池ＢＡの陰極を押しつけることができない。従って、屋根部２８が設けられていない従来の電池ホルダでは、電池の陰極を押しつけて電池をセットすることにより電極端子２５が破損する虞れがあったが、本実施形態では、電極端子２５が破損する虞れをなくすることができる。
【００５７】
更に、屋根部２８が設けられることで電池をセットした状態において、電極端子２５側から電池を抜き取る行為が不可能になることで、電池自身や、電極端子２５が破損する虞れをなくすることができる。
【００５８】
また、電極端子２５に電池方向のやや下方へ突出したＵ字状のバネ線材を設け、更に電池ホルダ２０に電池が収納された状態における、電池の長手方向における屋根部２８の長さを、Ｕ字状のバネ線材の端部の位置よりも長くなるように位置したことにより、電池の陽極を誤って電極端子２５にセットしようとした際、バネ線材で電池の陽極が反発され、且つ屋根部２８に電池が引っかかってしまうことにより電池がうまく取り付けできないものとなり、電池の誤った取り付けを防止できる。
【００５９】
上記のようにして全ての電池をセットし、電子機器の収納部１１に形成されている回動受部４１に対し、電池ホルダ２０のケース２０ａに形成された回動部３８を挿入し、回動して収納部１１が電池ホルダ２０によって閉じられるようにする（図９）。開口部を閉じるときには、突片３９が突出しているため、レバー３９Ａを操作して突片３９をケース２０ａの底板２１の内部側へ退避させた状態で作業を行い、電子機器の筐体１０と電池ホルダ２０が一体化された図１０の状態とすることができる。
【００６０】
図１０の状態から電池ホルダ２０を取り出して電池交換する場合には、レバー３９Ａを操作して突片３９をケース２０ａの底板２１の内部側へ退避させた状態で電池ホルダ２０を収納部１１から引き出して図８の状態とする。更に、電子機器の収納部１１に形成されている回動受部４１と、電池ホルダ２０を引き出すことにより、電池ホルダ２０のケース２０ａに形成された回動部３８との係合状態を解除し、電池ホルダ２０を取り出す。以下は、電池を電池ホルダ２０から取り外し、電池交換を行うことになる。
【００６１】
上記実施形態では、電子機器の収納部１１に回動受部４１を設け、ケース２０ａに回動部３８を形成したが、この構成を交換した構造とすることもできる。また、電池ホルダ２０に設けた突片３９とバネとレバー３９Ａによる機構を、電子機器に設け、電子機器に設けた溝４２による機構を電池ホルダ２０に設けるようにしても良い。
【符号の説明】
【００６２】
１０  筐体
１１  収納部
１２  受リブ
１３  電源端子
１４  電源端子
１５  溝部
２０  電池ホルダ
２０ａ  ケース
２１  底板
２２ａ  第１レーンの凹部
２２ｂ  第２レーンの凹部
２２ｃ  第３レーンの凹部
２３  電極支持壁
２４  電極支持壁
２５  電極端子
２６Ａ  電極保持片
２６Ｂ  電極保持片
２７  電極端子
２８  屋根部
２９  スリット
３０ａ  導体板端子
３０ｂ  導体板端子
【図１】
2018195484.tif 000003
【図２】
2018195484.tif 000004
【図３】
2018195484.tif 000005
【図４】
2018195484.tif 000006
【図５】
2018195484.tif 000007
【図６】
2018195484.tif 000008
【図７】
2018195484.tif 000009
【図８】
2018195484.tif 000010
【図９】
2018195484.tif 000011
【図１０】
2018195484.tif 000012